(57)【要約】【課題】便座の裏面に設けられた着座スイッチを可変にすることで、着座スイッチの当て部を変えることができるので便座の大きさを変えることもなく、簡単に着座スイッチの当て部位置を可変することで確実に対応できる温水洗浄便座の着座スイッチを提供することにある。【解決手段】使用者が便座１に座ったことを検知するために便座１の裏面の溝部７に挿着する着座スイッチ本体３の当て部４の便器上面６への接触中心に対して、該当て部４の接触中心位置を可変自在にする。【選択図】　　　図１
2004116104.tif 000002
【特許請求の範囲】
【請求項１】
使用者が便座に座ったことを検知するために便座の裏面の溝部に挿着する着座スイッチ本体の当て部の便器上面への接触中心に対して、該当て部の接触中心位置を可変自在にできることを特徴とする温水洗浄便座の着座スイッチ。
【請求項２】
着座スイッチの当る部位が、着座スイッチ本体を溝部に挿着するとともに着座スイッチ本体の表面側に設けた当て部を片側側面に立設することを特徴とする請求項１に記載の温水洗浄便座の着座スイッチ。
【発明の詳細な説明】
【０００１】
【発明の属する技術分野】
本発明は、使用者が便座に座ったことを検知するための、温水洗浄便座の着座スイッチに関する。
【０００２】
【従来の技術】
従来、温水洗浄便座には使用者が便座に座ったことを検知するために、押し付け式の着座スイッチが使用されている。図３に示すように、温水洗浄便座４７において、便座４１の着座スイッチ４２は便座４１の裏面に設けられ、ゴムなどで作られた当て部４４が便器４５の便器上面４６に当たることにより、着座スイッチ本体４３の当て部４４内に設けられた検知部が使用者の着座を検知する。
【０００３】
しかし、このような着座スイッチ４２は、図３（ｂ）に示すように、便器上面４６に当て部４４を押し付けて着座を検知しているために、便座４１を便器４５に取り付ける際に、着座スイッチ４２の当て部４４が便器上面４６の中心に確実に当たるように取り付ける必要がある。そのため、図４に示すように、便座４１を便器４５に取り付けるための取付ボルト４８に対して、便座４１を前後にスライド可能にして着座スイッチ４２の当て部４４の中心が便器上面４６の中心に当たるように、便座４１を便器４５に対して前後にスライドさせて調整可能な構造が従来より考案されている。（例えば、特許文献１参照）
【０００４】
【特許文献１】
特開平１１−１３１５５５号公報（第２頁、図１５、図１６）
【０００５】
【発明が解決しようとする課題】
しかし、上記のような方法で、便器に対する着座スイッチの位置を調整すると、便座の大きさによっては、便器に対して便座を前方、あるいは後方向によせて取付する必要のある場合があり、便器の先端より便座が大きく前に出る。あるいは、便座よりも便器の先端が前に出る場合があり、意匠的に見苦しい場合が生じる。
【０００６】
本発明は、上記の問題点を解消するためのもので、便座の大きさが便器の大きさと合っていない場合でも、便座の裏面に設けられた着座スイッチを可変にすることで、着座スイッチの当て部を変えることができるので便座の大きさを変えることもなく、簡単に着座スイッチの当て部位置を可変することで確実に対応できる温水洗浄便座の着座スイッチを提供することにある。
【０００７】
【課題を解決するための手段】
本発明の請求項１記載の温水洗浄便座の着座スイッチは、使用者が便座に座ったことを検知するために便座の裏面の溝部に挿着する着座スイッチ本体の当て部の便器上面への接触中心に対して、該当て部の接触中心位置を可変自在にできることを特徴とする。
【０００８】
このものにあっては、当て部をどちらの向きに取り付けるかは、便器の形状に合わせて自由に選択することができる。この当て部の向きの変更は着座スイッチ本体を便座から抜き取って、向きを逆にして押し込むだけで容易に変更可能である。
【０００９】
本発明の請求項２記載の温水洗浄便座の着座スイッチは、請求項１に記載の温水洗浄便座の着座スイッチの着座スイッチの当る部位が、着座スイッチ本体を溝部に挿着するとともに着座スイッチ本体の表面側に設けた当て部を片側側面に立設することを特徴とする。
【００１０】
このものにあっては、着座スイッチの位置を便器に合わせて洗浄便座を取り付ける場合の調整代を大きく取ることができ、便座の大きさに関わらず着座スイッチの取り付け位置を適正にすることができる。
【００１１】
【発明の実施の形態】
以後、本発明の実施形態を、図を用いて説明する。
本発明の実施形態に係る温水洗浄便座の着座スイッチは、便座の裏面に設けた着座スイッチの片側側面に立設させた当て部を可変自在とし、便器の大きさに合わせて当て部の向きの変更ができるものである。
【００１２】
本発明の実施形態に係る温水洗浄便座の着座スイッチは、　図１に示すように、使用者が便座１に座ったことを検知するために便座１の裏面の溝部７に挿着する着座スイッチ本体３の当て部４の便器上面６への接触中心に対して、該当て部４の接触中心位置を可変自在にできる。
【００１３】
着座スイッチ２の当る部位が、着座スイッチ本体３を溝部７に挿着するとともに着座スイッチ本体３の表面側に設けた当て部４を片側側面に立設するものである。
【００１４】
温水洗浄便座の着座スイッチ２に使用している便器上面６への当て部４は図２のように片側側面に立設しており、この当て部４を持つ着座スイッチ本体３は樹脂製の便座１の開口した溝部７に押し込んで固定しているものである。このゴム製の当て部４を図２のように片側側面に立設させておくと、当て部４を便座１に取り付けるときの方向を逆にすることにより、それぞれ、当て部４を便座１の内側より、または、外側よりに設けることが可能になる。
【００１５】
当て部４をどちらの向きに取り付けるかは、便器５の形状に合わせて自由に選択することができる。この当て部４の向きの変更は着座スイッチ本体３を便座１から抜き取って、向きを逆にして押し込むだけで容易に変更可能である。
【００１６】
以上の説明により、本実施形態では、着座スイッチの位置を便器に合わせて洗浄便座を取り付ける場合の調整代を大きく取ることができ、便器の大きさに関わらず着座スイッチの取り付け位置を適正にでき、着座スイッチを便器に合わせて取り付けた場合、便座が便器より大きく前に出てしまうなどの意匠面の不具合を防ぐことができる。
【００１７】
【発明の効果】
以上の説明により、本発明の温水洗浄便座の着座スイッチによると、便座の大きさが便器の大きさと合っていない場合でも、便座の裏面に設けられた着座スイッチを可変にすることで、着座スイッチの当て部を変えることができるので便座の大きさを変えることもなく、簡単に着座スイッチの当て部位置を可変することで確実に対応できる。そのため、着座スイッチの位置を便器に合わせて洗浄便座を取り付ける場合の調整代を大きく取ることができ、便器の大きさに関わらず着座スイッチの取り付け位置を適正にでき、着座スイッチを便器に合わせて取り付けた場合、便座が便器より大きく前に出てしまうなどの意匠面の不具合を防ぐことができる。
【図面の簡単な説明】
【図１】本発明の実施形態に係る温水洗浄便座の着座スイッチを示し、（ａ）は着座スイッチの構成を示す斜視図で、（ｂ）は便器上面との接地関係を示す要部断面図である。
【図２】本発明の実施形態に係る温水洗浄便座の着座スイッチ本体を示す要部斜視図である。
【図３】従来の温水洗浄便座の着座スイッチを示し、（ａ）は着座スイッチの構成を示す斜視図で、（ｂ）は便器上面への接地位置を示し、（ａ）のＡ−Ａ線での要部断面図である。
【図４】従来の温水洗浄便座の便器への取付を示す斜視図である。
【符号の説明】
１　　　便座
２　　　着座スイッチ
３　　　着座スイッチ本体
４　　　当て部
５　　　便器
６　　　便器上面
７　　　溝部
【図１】
2004116104.tif 000003
【図２】
2004116104.tif 000004
【図３】
2004116104.tif 000005
【図４】
2004116104.tif 000006